(57)【特許請求の範囲】
【請求項１】
冷凍剤注入装置と、該注入装置から冷凍剤を注入され地雷を冷凍する地雷冷凍装置と、該冷凍装置によって冷凍された地雷の弾体を粉砕する地雷粉砕装置と、粉砕された地雷の弾体を燃料と共に燃焼させる燃焼装置とからなる地雷廃棄処理装置であって、前記冷凍剤注入装置は注入ポンプと排出ポンプと制御装置を有し、前記地雷冷凍装置は地雷の弾体を収容する槽とセンサーを有し、前記センサーと制御装置によって、冷凍剤の、注入ポンプから注入する量と排出ポンプから排出する量を制御するようにしたことを特徴とする地雷廃棄処理装置。
【請求項２】
前記地雷粉砕装置は、冷凍された地雷の弾体を粉砕するためのカッターと、そのカッターを制御するための自動制御装置と、粉砕された地雷の弾体の金属を集めるためのマグネットメッシュフィルターを有することを特徴とする請求項１に記載の地雷廃棄処理装置。
【請求項３】
前記燃焼装置にはファンと、温度制御装置を設けたことを特徴とする請求項１または請求項２に記載の地雷廃棄処理装置。
【発明の詳細な説明】
【０００１】
【産業上の利用分野】
本発明は、貯蔵及び探知され集積された地雷を大量に安く、かつ安全に破壊することのできる地雷廃棄処理装置に関するものである。
【０００２】
【従来の技術】
戦争中に埋設された地雷は、戦争が終わると非常に危険なものとなる。
戦争中に地雷埋設地帯において大量に埋設された地雷は、それを戦争後に撤去して処理する必要があり、このために、まず埋設地雷を地雷探知器により捜し、これを発見した場合、地雷の信管を除去し、弾体容器にＴＮＴ火薬等の爆薬が入った状態のものを数個ずつまとめて有人によって爆破処理するか、あるいは地下処理施設内に大量の地雷を集積しておき、集積しておいた地雷を遠隔操作により爆破処理していた。
【０００３】
【発明が解決しようとする課題】
しかしながら、有人作業による地雷の爆破処理作業は非常に危険であり、また、地雷の信管を外し数個ずつまとめて爆破処理することは、処理する個数も少量で非能率的であり、更に作業場周囲の安全等の保証がなされていなければならないという問題点がある。さらに、地下処理施設内において遠隔操作処理する場合には、処理費用が多くかかりコスト的に割高となる欠点がある。
【０００４】
そこで、本発明は、地雷の信管を除去し、弾体容器にＴＮＴ火薬等の爆薬が入った状態のもの（以下地雷の弾体という）を集積して冷凍し、その後弾体容器および火薬等をチップ状に粉砕し、粉砕したチップ状の地雷の弾体をロケット等の固体燃料等の瞬間燃焼剤と共に燃焼させることにより、一度に大量に、しかも安全にかつ安価に地雷の弾体を処理することができる地雷廃棄処理装置を提供することにより、上記従来の諸問題を解決することを目的とする。
【０００５】
本発明は、冷凍剤注入装置、地雷冷凍装置、地雷粉砕装置、燃焼装置を有する地雷廃棄処理装置において、冷凍剤を冷凍剤注入装置から地雷集積槽内に注入し、槽内に集積した地雷の弾体を冷凍する。その後、冷凍した火薬等を収納している地雷の弾体をミル等のカッターによって粉々に粉砕し、粉砕した地雷の弾体を燃焼装置により、ロケットの固体燃料などの瞬間燃焼剤と共に混在させて地雷の弾体を燃焼させて処理する。この処理方法により地雷を一度に大量に、安価でしかも安全に処理することが可能となる。
【０００６】
【課題を解決するための手段】
このため、本発明が採用した技術解決手段は、
冷凍剤注入装置と、該注入装置から冷凍剤を注入され地雷を冷凍する地雷冷凍装置と、該冷凍装置によって冷凍された地雷の弾体を粉砕する地雷粉砕装置と、粉砕された地雷の弾体を燃料と共に燃焼させる燃焼装置とからなる地雷廃棄処理装置であって、前記冷凍剤注入装置は注入ポンプと排出ポンプと制御装置を有し、前記地雷冷凍装置は地雷の弾体を収容する槽とセンサーを有し、前記センサーと制御装置によって、冷凍剤の、注入ポンプから注入する量と排出ポンプから排出する量を制御するようにしたことを特徴とする地雷廃棄処理装置である。
また、前記地雷粉砕装置は、冷凍された地雷の弾体を粉砕するためのカッターと、そのカッターを制御するための自動制御装置と、粉砕された地雷の弾体の金属を集めるためのマグネットメッシュフィルターを有することを特徴とする地雷廃棄処理装置である。
また、前記燃焼装置にはファンと、温度制御装置を設けたことを特徴とする地雷廃棄処理装置である。
【０００７】
【実施形態】
本発明に係る地雷廃棄処理装置の構成を図面を参照して説明すると、図１は処理されるべき埋設対人地雷の側面図、図２は対人地雷廃棄処理装置の全体構成図である。
【０００８】
図１において、対人地雷１は、信管２と弾体３から成る。この対人地雷は、戦場の地中に埋設されて配置され、戦闘員等がこの地雷を踏むと、信管２が作動し弾体３が爆発し、戦闘員を殺傷させる機能を有している。
こうした対人地雷１は戦場に多数埋設されているため非常に危険であり、戦争終了後において地雷埋設地帯から除去する必要がある。この地雷除去作業は、地雷探知器によって地雷を発見し、発見した対人地雷１から信管２を外して弾体容器にＴＮＴ火薬等の爆薬が入った状態のもの（以下弾体という）を集め処理する。
【０００９】
こうして集められた弾体３を処理する装置を図２を参照して説明する。
図２において、地雷廃棄処理装置は、冷凍剤注入装置４、地雷冷凍装置５、地雷粉砕装置６、燃焼装置７を備えている。
冷凍剤注入装置４は、液体窒素等の冷凍剤を収容している冷凍剤収納容器８と、冷凍剤を地雷冷凍装置５に送る注入ポンプ９と、冷凍剤を冷凍剤収納容器８に戻す排出ポンプ１０と、地雷冷凍装置５に設けたセンサー１３からの信号に基づいて注入・排出ポンプ９、１０を制御する制御装置１１を有している。
【００１０】
地雷冷凍装置５は、集めた複数の対人地雷の弾体３を収容するための地雷槽１２と冷凍の度合いを測定するためのセンサ１３を有する。
地雷粉砕装置６は、地雷冷凍装置５により冷凍された地雷の弾体を粉々に粉砕するもので、ミル等のカッター１４と、自動制御装置１５と、マグネットメッシュフィルター１６を有し、自動制御装置１５によってカッター１４の回転速度を制御し、粉砕の大きさの度合いを決め、更に、マグネットメッシュフィルター１６によって粉砕された地雷の弾体の金属片のみを収集できる機能を有している。
【００１１】
燃焼装置７は、粉砕された対人地雷の弾体を燃焼処理するものであり、ロケットの固体燃料等の高速燃焼剤１９と共に粉砕処理した地雷の弾体を燃焼させるもので、その燃焼を均一に行うようにするためにファン１７と燃焼温度を制御するための温度制御装置１８を有している。
【００１２】
次に、上記地雷廃棄処理装置を用いて、対人地雷を処理する作業について説明する。
まず、地雷埋設地帯において、地雷探知器により発見した対人地雷１の信管２を外して、火薬の入った状態の弾体３のみを集める。集めた複数の対人地雷の弾体を、地雷冷凍装置５に収容する。次に、冷凍剤注入装置４の液体窒素等の冷凍剤を、収納容器８から注入ポンプ９により地雷冷凍装置５に送り、前記地雷の弾体を冷凍する。冷凍剤は排出ポンプ１０により収納容器８に還流される。この時、冷凍の度合いは地雷冷凍装置５のセンサ１３と冷凍剤注入装置４の制御装置１１により、適宜調節する。
【００１３】
冷凍された対人地雷の弾体は、地雷粉砕装置６に投入される。投入された冷凍状の弾体３は、同装置６内のカッター１４で粉々に粉砕され、粉砕された弾体３の金属部分は、マグネットメッシュフィルター１６により選別される。粉砕装置６内での粉砕の大きさの程度は、自動制御装置１５によりその大きさを判断しながらカッター１４を制御し、適宜の大きさに粉砕する。
【００１４】
マグネットメッシュフィルター１６によって金属が取り除かれた粉砕状の地雷弾体３は燃焼装置７に投入され、燃焼装置７に投入された粉砕状の弾体３は、ロケットに使用するような高燃焼性の燃料１９を用いて燃焼される。この燃焼温度は、ファン１７により均一に攪拌し、温度制御装置１８により適宜の燃焼状態に維持される。最終的な燃焼灰２０は、セメントと砂を混合してコンクリートブロックとして使用することができる。
なお、冷凍剤注入装置４、地雷冷凍装置５、地雷粉砕装置６、燃焼装置７は開閉可能な蓋を介して接続されており、図示せぬ制御機器からの信号で蓋が開閉され、上記のような作用を行う。
【００１５】
以上本発明に係わる実施形態について説明したが、冷凍剤注入装置、地雷冷凍装置、地雷粉砕装置、燃焼装置等は適宜の形状、大きさとして設計することが可能であり、また、これら装置を纏めて一つのケース内に収容し、取扱し易い形態とすることもできる。さらに液体窒素等の冷凍剤は火薬を含む弾体を確実に冷凍できるものであれば、種々の冷凍剤を使用することも可能である。
また、本発明はその精神または主要な特徴から逸脱することなく、他のいかなる形でも実施できる。そのため、前述の実施形態はあらゆる点で単なる例示にすぎず限定的に解釈してはならない。
【００１６】
【発明の効果】
以上詳細に説明した通り本発明によれば、冷凍剤注入装置と、該注入装置から液体窒素等の冷凍剤を注入され地雷の弾体を冷凍する地雷冷凍装置と、該冷凍装置によって冷凍された地雷の弾体を粉砕する地雷粉砕装置と、粉砕された地雷の弾体を燃料と共に燃焼させる燃焼装置とからなる地雷廃棄処理装置としたことによって、地雷を安全に大量に処理することができ、また、コストも安くできるという優れた効果を達成することができる。
【図面の簡単な説明】
【図１】従来公知の対人地雷の側面図である。
【図２】本発明の実施形態に係る地雷廃棄処理装置の構成図である。
【符号の簡単な説明】
１          対人地雷
２          信管
３          弾体（火薬を含む）
４          冷凍剤注入装置
５          地雷冷凍装置
６          地雷粉砕装置
７          燃焼装置
８          冷凍剤収納容器
９          注入ポンプ
１０          排出ポンプ
１１          制御装置
１２          地雷槽
１３          センサ
１４          カッター
１５          自動制御装置
１６          マグネットメッシュフィルター
１７          ファン
１８          温度制御装置
１９          燃料
【図１】
0003683774.tif 000002
【図２】
0003683774.tif 000003